(57)【要約】【課題】多数の被綴じ物を綴じ込んでも、容易に綴具の綴じ部材を開くことができるオープナーを提供する。【解決手段】この発明にかかるオープナー１０は、綴じ環１１２，１１４と、前記綴じ環を間隔をおいて設けることができる保持部材１１６とを含み、一対の綴じ部材１１２ｂ，１１４ｂが開く綴具１１０に取り付けられて、前記綴じ部材を開くためのオープナー１０であって、基体１２と、前記基体１２を隔てた位置において、前記綴じ部材１１４ａ，１１４ｂが貫挿するように並んで形成される貫通孔１４，１６を含み、前記綴じ環の変位させる方向に沿って前記基体１２をスライドさせたときに、前記綴じ部材１１４ｂの一方が前記貫通孔１６の一方の端部に押されることによって前記綴じ部材１１４ｂが変位するように構成されている。【選択図】図３
2011073407.tif 000002
【特許請求の範囲】
【請求項１】
開閉可能な一対の綴じ部材が閉じることによって形成される綴じ環と、前記綴じ環を間隔をおいて設けることができる長さを備えた保持部材とを含み、
間隔をおいて設けられた前記綴じ環を変位させる方向に沿って互いに逆向きに一対の前記綴じ部材を変異させることにより一対の前記綴じ部材が開く綴具に取り付けられて、前記綴じ部材を開くためのオープナーであって、
長手方向を有する基体と、前記基体の長手方向の一端側から間隔を隔てた位置において前記綴じ部材が貫挿するように前記基体に前記一対の綴じ部材の間隔に対応する間隔をおいて並んで形成される貫通孔とを含み、
前記基体の長手方向において前記一方の貫通孔の一端と他方の貫通孔の一端とが互いにずれた位置に配置されるように形成され、
前記綴じ環の変位させる方向に沿って前記基体を一方側にスライドさせたときに、前記綴じ部材の一方が前記貫通孔の一方の端部に押されることによって前記綴じ部材が変位し、かつ、前記綴じ部材の他方が前記貫通孔の他方の端部に押されないように構成された、オープナー。
【請求項２】
さらに、前記貫通孔に貫通する前記綴じ部材と連動して動作する別の綴じ部材で構成される綴じ環が貫通する別の貫通孔を含み、
前記別の貫通孔は幅広部と幅狭部とを有し、前記綴じ環を変位させる方向に沿って前記基体を一方側にスライドさせたときに前記別の綴じ部材が前記別の貫通孔の前記幅広部に位置し、前記綴じ環を変位させる方向に沿って前記基体を他方側にスライドさせたときに前記別の綴じ部材に前記別の貫通孔の前記幅狭部が近づくように構成された、請求項１に記載のオープナー。
【請求項３】
前記基体には、前記一対の綴じ部材の間隔に対応する間隔をおいて並んで形成された前記貫通孔の間の中央部において、前記基体の長手方向の長手方向に沿って折れ曲がるヒンジ部が形成される、請求項１または請求項２に記載のオープナー。
【発明の詳細な説明】
【技術分野】
【０００１】
この発明は、オープナーに関し、特にたとえば、リングバインダまたはリングファイルに用いられる綴具を開くために用いられるオープナーに関する。
【背景技術】
【０００２】
リングバインダやリングファイルには、複数の綴じ環を有する綴具が用いられる。綴具は表紙の内側に取り付けられて、紙などの被綴じ物が綴じ込まれる。綴具の綴じ環は、開閉可能な２つの綴じ部材を有し、これらの綴じ部材は開く向きに付勢されている。綴じ部材の先端側には、綴じ環係止部が形成され、綴じ環係止部で係止されることにより、２つの綴じ部材が閉じた状態を保持することができる。
【０００３】
このような綴具において、いくつかの綴じ部材の開閉方式があるが、綴じ環を構成する２つの綴じ部材の間の中心線に沿って、２つの綴じ部材を互いに逆向きに変位させることにより、綴じ環係止部を解除させる方式の綴具がある。このような綴具では、閉じた２つの綴じ部材を親指と人差し指ではさみ、２つの綴じ部材が逆向きに変位するように捩じるような動作を行うことにより、綴じ環係止部を解除して綴じ部材を開くことができる。したがって、綴じ環を捩じって綴じ部材を開き、被綴じ物に形成された孔に綴じ部材を挿通して、綴じ部材を閉じることにより、被綴じ物を綴具に綴じ込むことができる（特許文献１参照）。
【先行技術文献】
【特許文献】
【０００４】
【特許文献１】特開２００９−０７３２０３号公報
【発明の概要】
【発明が解決しようとする課題】
【０００５】
しかしながら、図２８に示すように、綴具１に多数の被綴じ物２が綴じ込まれた場合、被綴じ物２から露出する綴じ部材３の範囲が少なくなる。そのため、綴じ部材３をはさんで捩じることが難しくなり、綴じ部材３を開くことが困難になる。
【０００６】
それゆえに、この発明の主たる目的は、多数の被綴じ物を綴じ込んでも、容易に綴具の綴じ部材を開くことができるオープナーを提供することである。
【課題を解決するための手段】
【０００７】
この発明は、開閉可能な一対の綴じ部材が閉じることによって形成される綴じ環と、前記綴じ環を間隔をおいて設けることができる長さを備えた保持部材とを含み、間隔をおいて設けられた前記綴じ環を変位させる方向に沿って互いに逆向きに一対の前記綴じ部材を変異させることにより一対の前記綴じ部材が開く綴具に取り付けられて、前記綴じ部材を開くためのオープナーであって、長手方向を有する基体と、前記基体の長手方向の一端側から間隔を隔てた位置において前記綴じ部材が貫挿するように前記基体に前記一対の綴じ部材の間隔に対応する間隔をおいて並んで形成される貫通孔とを含み、前記基体の長手方向において前記一方の貫通孔の一端と他方の貫通孔の一端とが互いにずれた位置に配置されるように形成され、前記綴じ環の変位させる方向に沿って前記基体を一方側にスライドさせたときに、前記綴じ部材の一方が前記貫通孔の一方の端部に押されることによって前記綴じ部材が変位し、かつ、前記綴じ部材の他方が前記貫通孔の他方の端部に押されないように構成された、オープナーである。
綴じ環を変位させる方向に沿ってオープナーの基体を一方側にスライドさせることにより、綴じ環を構成する綴じ部材の一方のみが変位させられ、綴じ部材を開くことができる。貫通孔は、基体の長手方向の一端側から間隔を隔てた位置に形成されているため、基体の長手方向の一端側を押して基体をスライドさせることにより、綴じ部材を開くことができる。オープナーによって、綴じ部材の先端側でなく、保持部材側において綴じ部材を押すことができるため、オープナーの上に被綴じ物を綴じ込むことができ、被綴じ物の量に関係なく、綴じ部材を開くことができる。
【０００８】
このようなオープナーにおいて、さらに、貫通孔に貫通する綴じ部材と連動して動作する別の綴じ部材で構成される綴じ環が貫通する別の貫通孔を含み、別の貫通孔は幅広部と幅狭部とを有し、保持部材の中心線に沿って基体を一方側にスライドさせたときに別の綴じ部材が別の貫通孔の幅広部に位置し、綴じ環を変位させる方向に沿って基体を他方側にスライドさせたときに別の綴じ部材に別の貫通孔の幅狭部が近づくようにすることができる。
綴じ環を変位させる方向に沿ってオープナーの基体を一方側にスライドさせて綴じ部材を開いた後、基体を他方側にスライドさせることにより、綴じ部材と連動する別の綴じ部材が別の貫通孔の幅広部に位置するようになる。そして、基体を他方側にスライドさせることにより、別の綴じ部材に別の貫通孔の幅狭部が近づいて、別の綴じ部材が閉じる向きに変位させられる。それにより、オープナーのスライド方向により、綴じ部材の開閉を行うことができる。
【０００９】
また、基体には、一対の綴じ部材の間隔に対応する間隔をおいて並んで形成された貫通孔の間の中央部において基体の長手方向の長手方向に沿って折れ曲がるヒンジ部が形成されることが好ましい。
オープナーの基体にヒンジ部を形成することにより、基体の強度を大きくすることができ、基体の変形を防止することができる。また、基体にヒンジ部を形成することにより、基体に形成された貫通孔を綴具の保持部材に近い位置で綴じ部材を押すことができる。
【発明の効果】
【００１０】
この発明によれば、オープナーを綴具に装着しておくことにより、綴具の保持部材側において綴じ部材を押すことができる。そのため、オープナーの上において、綴具に被綴じ物を綴じ込むことができ、多数の被綴じ物を綴じ込んでも、オープナーの操作によって綴具の綴じ部材を開くことができる。オープナーは、長手方向を有する基体を有するため、たとえば綴具の綴じ部材から表紙の下端部に届くように基体を配置することにより、表紙の端部においてオープナーを操作することができる。
【００１１】
この発明の上述の目的，その他の目的，特徴および利点は、図面を参照して行う以下の発明を実施するための最良の形態の説明から一層明らかとなろう。
【図面の簡単な説明】
【００１２】
【図１】本発明にかかる一実施の形態であるオープナーを用いたファイルを示す斜視図図解図である。
【図２】図１図示オープナーの一例を示す平面図解図である。
【図３】オープナーと綴具の斜視図解図である。
【図４】オープナーの平面図解図である。
【図５】図１図示ファイルの正面図解図である。
【図６】閉じた状態における綴じ環とオープナーを示す平面図解図である。
【図７】開きかけた状態における綴じ環とオープナーを示す平面図解図である。
【図８】開いた状態における綴じ環とオープナーを示す平面図解図である。
【図９】開いた状態における綴じ環とオープナーを示す平面図解図である。
【図１０】閉まる手前状態における綴じ環とオープナーを示す平面図解図である。
【図１１】閉じた状態における綴じ環とオープナーを示す平面図解図である。
【図１２】開閉部材を示す図解図であり、（Ａ）（Ｂ）は、平面図解図であり、（Ｃ）は、作動部材への係止方法を示す底面図解図である。
【図１３】開閉部材の架ける方法を示す側面図解図で、（Ａ）は元の状態の側面図解図で（Ｂ）（Ｃ）は連接部の円周方向に力を加えて作動部材に係止した状態の正断図解図である。
【図１４Ａ】閉じた状態における綴じ環と作動部材を示す平面図解図である。
【図１４Ｂ】閉じた状態における綴じ環と作動部材を示す左側図解図である。
【図１４Ｃ】閉じた状態における綴じ環と作動部材を示す右側図解図である。
【図１４Ｄ】閉じた状態における綴じ環と作動部材を示す正面図解図である。
【図１４Ｅ】閉じた状態における綴じ環と作動部材を示す底面図解図である。
【図１４Ｆ】綴じ環と綴じ環部材の貫通孔との関係を示す平面図解図である。
【図１５】閉じた状態における綴具の平面図解図である。
【図１６】閉じた状態における綴具の底面図である。
【図１７】閉じた状態における綴具の横断面図であり、（Ａ）は、図１６Ａ−Ａ断面図であり、（Ｂ）は、概略を示した図１６Ｂ−Ｂ断面図である。
【図１８】綴じ環を開く状態を示す綴具の底面図である。
【図１９】綴じ環を開く状態を示す綴具の綴じ環の図解図である。
【図２０】開いた状態における綴具の平面図解図である。
【図２１】開いた状態を示す綴具の底面図解図である。
【図２２】開いた状態における綴具の横断面図であり、（Ａ）は、図２１Ａ−Ａ断面図であり、（Ｂ）は、概略を示した図２１Ｂ−Ｂ断面図である。
【図２３】綴じ環を綴じる状態を示す綴じ環の図解図であり、（Ａ）は、平面図解図であり、（Ｂ）は、平面図解図である。
【図２４】綴じ環を綴じる状態を示す綴じ環の図解図であり、（Ａ）は、平面図解図であり、（Ｂ）は、平面図解図である。
【図２５】綴じ環を綴じる状態を示す綴じ環の図解図であり、（Ａ）は、平面図解図であり、（Ｂ）は、平面図解図である。
【図２６】この発明にかかる綴具の説明図である。
【図２７】この発明にかかる綴具を用いたファイルの説明図である。
【図２８】背景技術を示す図解図である。
【発明を実施するための形態】
【００１３】
図１はこの発明のオープナーが取り付けられたリングファイルの一例を示す図解図であり、図２はその平面図であり、図３はその要部図解図である。リングファイルは、厚紙その他の比較的硬質なシート材からなる表紙ＣＯを含む。表紙ＣＯの略中央に形成される平行な一対の折り線の内側、つまり背表紙の内側に、綴具１１０が取り付けられる。この綴じ具１１０は、たとえば向こう側の第１の綴じ環１１２と、第１の綴じ環１１２と一対の手前の第２の綴じ環１１４とを含む。第１の綴じ環１１２は、第１の綴じ部材１１２ａおよび第２の綴じ部材１１２ｂを含み、第１の綴じ部材１１２ａと第２の綴じ部材１１２ｂが閉じることによって、略Ｏの字環状となる第１の綴じ環１１２が形成される。同様に、第２の綴じ環１１４は、第３の綴じ部材１１４ａおよび第４の綴じ部材１１４ｂを含み、第３の綴じ部材１１４ａと第４の綴じ部材１１４ｂが閉じることによって、略Ｏの字環状となる第２の綴じ環１１４が形成される。
【００１４】
綴具１１０は、前記第１の綴じ環１１２および第２の綴じ環１１４をそれぞれ間隔をおいて設けることができる長さを備えた保持部材１１６と、第１の綴じ環１１２と第２の綴じ環１１４とが保持部材１１６に固定されるように、表面側よりのびるように第１の綴じ環１１２と第２の綴じ環１１４とを固定された一対の板状の作動片が保持部材１１６の内側に移動自在に固定された、作動部材１１８とを備える。
【００１５】
この綴具１１０の綴じ環は、主綴じ環たる第１の綴じ環１１２と副綴じ環たる第２の綴じ環１１４とからなる開閉自在の２穴タイプである。
第１の綴じ環１１２と第２の綴じ環１１４とは、同一方向に向けて、その綴じ環係止部１５０を、この発明にかかるオープナー１０で外すことができるように構成されている。
そして、綴じ環を閉じるときは、主綴じ環たる第１の綴じ環１１２を、例えば親指と人差し指で直接挟んで閉じるように構成されており、第１の綴じ環１１２を２本の指で挟んで閉じる方向に作動させると、副綴じ環たる第２の綴じ環１１４は追動するように構成されている。
【００１６】
第１の綴じ環１１２は、略Ｏの字状の綴じ環となるように、略半円弧状の第１の綴じ部材１１２ａと略半円弧状の第２の綴じ部材１１２ｂとから構成され、第２の綴じ環１１４は、略Ｏの字状の綴じ環となるように、略半円弧状の第３の綴じ部材１１４ａと略半円弧状の第４の綴じ部材１１４ｂとから構成されている。そして、用紙等の被綴じ物Ｓに予め穿設された綴じ孔に挿通して、用紙等の被綴じ物Ｓを綴じることができるように、第１の綴じ部材１１２ａおよび第２の綴じ部材１１２ｂと、第３の綴じ部材１１４ａと第４の綴じ部材１１４ｂの先端、すなわち第１の綴じ環１１２および第２の綴じ環１１４の頂部において、綴じ環係止部１５０が形成されている。
【００１７】
保持部材１１６は、第１の綴じ環１１２と第２の綴じ環１１４とを所定の間隔をおいて設けることができる長さを備える平面視略長方形で、その両端、すなわち表紙ＣＯに取り付ける取付孔１２０近傍においては、平面視略半円弧状に形成されている。
保持部材１１６は、第１の綴じ環１１２および第２の綴じ環１１４を固定する部位より長手方向における外側近傍より内側に向かって、その中央が膨出した断面略半円弧状の被綴じ物載置部１２２を備え、且つ、被綴じ物載置部１２２の内側は保持空間を備え、その保持空間に作動部材１１８等を収容するように構成されている。
保持部材１１６の被綴じ物載置部１２２の両端には、その長手方向に略その一端から他端に亘って、作動部材１１８を摺動自在に保持する保持壁１２４、第１の保持壁１２４ａおよび第２の保持壁１２４ｂが設けられている。この実施の形態においては、保持壁１２４は、保持部材１１６の長手方向において、第１の綴じ環１１２および第２の綴じ環１１４のそれぞれの外側近傍より内部に亘って略全体において垂下されるように、第１の保持壁１２４ａおよび第２の保持壁１２４ｂが連設され、第１の保持壁１２４ａと第２の保持壁１２４ｂとは平行で略同一の形状の板状である。
そして、この第１の保持壁１２４ａおよび第２の保持壁１２４ｂと被綴じ物載置部１２２によって囲繞された保持空間内に、後に詳しく説明する作動部材１１８、開閉部材１４０等が収容される。
【００１８】
第１の綴じ環１１２及び第２の綴じ環１１４に、この発明のオープナー１０が取り付けられる。オープナー１０は、図１及び２に示すように、表紙ＣＯの背表紙の高さ（ＣＯ−Ｈ）に相当する高さを備える長手方向を有する基体１２を含む。基体１２は、たとえば合成樹脂などで平面視略長方形の板状に形成されており、その幅は、後述するように幅方向の中央において折り曲げられるので、表紙の背幅（ＣＯＢ−Ｗ）より長く形成され、折り曲げたときに表紙の背幅（ＣＯＢ−Ｗ）よりわずかに狭い幅となるように形成されている。
基体１２の長手方向の手前側の一端側から間隔を隔てた位置において、基体１２の幅方向において、第３の綴じ部材１１４ａの基部と第４の綴じ部材１１４ｂの基部の間隔と対応する間隔をおいて並んで、左右一対の第３の貫通孔１４及び第４貫通孔１６が形成される。
これらの第１貫通孔１４と第２貫通孔１６は、基体１２の長手方向に沿ってのびる、長孔状に形成される。
第１貫通孔１４の一端側１４ａおよび第２貫通孔１６の一端側１６ａは、基体１２の長手方向の一端側において、互いにずれた位置となるように形成される。すなわち、一方の第１貫通孔１４の一端側１４ａの手前側孔縁は、他方の第２貫通孔１６の一端側１６ａの手前側孔縁に比べて、基体１２の長手方向の一端側たる手前側に近くなるように形成される。
【００１９】
第２の貫通孔１６の手前側の一端側１６ａと第１貫通孔１４の手前側の一端側１４ａとのずれの間隔は、オープナー１０を綴じ具１１０を開くために、向こう側にスライドさせたときに、一端側１６ａが第４の綴じ部材１１４ｂの手前側を向こう側に押して綴じ具１１０の綴じ環係止部１５０の係合を解除するまで、第１貫通孔１４の一端側１４ａが綴じ具１１０の第３の綴じ部材１１４ａの手前側に到達しないように、構成されている。
さらに、２つの第１貫通孔１４及び第２の貫通孔１６の他端側は、直交するように基体１２に形成された切り欠き部１４ｂ，１６ｂによって、基体１２の外側に連通している。
【００２０】
貫通孔１４に連通する切り欠き部１４ｂと貫通孔１６に連通する切り欠き部１６ｂとは、基体１２の長手方向において同じ位置に形成され、切り欠き部１４ｂは右側が開口し、切り欠き部１６ｂは左側が開口している。
これらの貫通孔１４，１６には、それぞれ第３の綴じ部材１１４ａおよび第４の綴じ部材１１４ｂが貫挿される。
【００２１】
第２の綴じ環１１４が閉じている（ロックしている）ときには、第３の綴じ部材１１４ａ及び第４の綴じ部材１１４ｂは、第３の綴じ部材１１４ａが切り欠き部１４ｂ側に第４の綴じ部材１１４ｂが切り欠き部１６ｂ側に位置するように構成されている。
そして、第２の綴じ環１１４が開いている（オープンしている）ときには、第３の綴じ部材１１４ａ及び第４の綴じ部材１１４ｂは、第３の綴じ部材１１４ａが貫通孔１４の一端側１４ａ側に及び第４の綴じ部材１１４ｂが貫通孔１６の一端側１６ａ側に位置するように構成されている。
【００２２】
基体１２の長手方向の向こう側の他端側には、別の貫通孔１８が形成される。基体１２の長手方向における別の貫通孔１８のほぼ中央部において、基体１２の幅方向の両側から別の貫通孔１８に突き出すように、突出部２０が形成される。この突出部２０が形成されることにより、基体１２の長手方向における別の貫通孔１８のほぼ中央部に幅狭部１８ａが形成される。そして、幅狭部１８ａに対して貫通孔１４，１６側に手前側の第１の幅広部１８ｂが形成され、その反対側に向こう側の第２の幅広部１８ｃが形成される。別の貫通孔１８には、第１の綴じ部材１１２ａおよび第２の綴じ部材１１２ｂが貫挿される。
【００２３】
第１の幅広部１８ｂは、図１１に示すように、第１の綴じ部材１１２ａの基部の外側に位置する平面視半円弧状の第１ロック孔縁１８ｂ1と、第２の綴じ部材１１２ｂの基部の外側に位置する平面視半円弧状の第２オープン孔縁１８ｂ2とを備え、第１ロック孔縁１８ｂ1と第２オープン孔縁１８ｂ2とは、綴じ具１１０を閉じた（ロックした）状態において、第１の綴じ部材１１２ａの基部と第２の綴じ部材１１２ｂの基部との間隔に対応する間隔をおいて対向するように構成されている。この実施の形態においては、第１の綴じ部材１１２ａの基部と第２の綴じ部材１１２ｂの基部との間隔よりわずかに幅広く形成されている。
第２の幅広部１８ｃは、図１１に示すように、第１の綴じ部材１１２ａの基部の外側に位置する平面視半円弧状の第１オープン孔縁１８Ｃ1と、第２の綴じ部材１１２ｂの基部の外側に位置する平面視半円弧状の第２オープン孔縁１８Ｃ2とを備え、第１オープン孔縁１８Ｃ1と第２オープン孔縁１８Ｃ2とは、綴じ具１１０を開いた（オープンした）状態において、第１の綴じ部材１１２ａの基部と第２の綴じ部材１１２ｂの基部との間隔に対応する間隔をおいて対向するように構成されている。この実施の形態においては、第１の綴じ部材１１２ａの基部と第２の綴じ部材１１２ｂの基部との間隔よりわずかに幅広く形成されている。
幅狭部１８ａは、図１１に示すように、第１の綴じ部材１１２ａの基部の外側に位置するように第１突出部１８ａ1と、第２の綴じ部材１１２ｂの基部の外側に位置するように第２突出部１８ａ2と備え、第１突出部１８ａ1と第２突出部１８ａ2とは互いに向き合うように第１の綴じ部材１１２ａと第２の綴じ部材１１２ｂとの中央に向けて突き出ている。
この実施の形態においては、第１突出部１８ａ1と第２突出部１８ａ2と第１突出部１８ａ1の最先端と第２突出部１８ａ2の最先端との間の間隔は、閉じた綴じ具１１０の第１の綴じ部材１１２ａの左外側部と第２の綴じ部材１１２ｂの右外側部との間隔に略々同じかわずかに狭い間隔に形成されている。
【００２４】
第１ロック孔縁１８ｂ1は、第１突出部１８ａ１に至る傾斜が第１オープン孔縁１８Ｃ1と比して比較的緩やかに形成され、第２オープン孔縁１８ｂ2は、第２突出部１８ａ2に至る傾斜が第２オープン孔縁１８Ｃ2と比して比較的緩やかに形成されている。
第１突出部１８ａ１は、向こう側に連設された第１オープン孔縁１８Ｃ1と手前側に連設された第１ロック孔縁１８ｂ1とは波状に連設され、第２突出部１８ａ2は、向こう側に連設された第２オープン孔縁１８Ｃ2と手前側に連設された第２オープン孔縁１８ｂ2とは、波状に連設されており、左右対称に構成されている。
【００２５】
さらに、基体１２の幅方向の中央部には、基体１２の長手方向に沿って折れ曲がるヒンジ部２２が形成される。ヒンジ部２２は、図５に示すように、基体１２の長手方向の一端側から見たときに、貫通孔１４，１６が下方に配置されるような山形となり、保持部材１１６の中央線上から左右の第１の保持壁１２４ａ及び第２の保持壁１２４ｂに至る傾斜面に沿った形状となるように構成される。
このオープナー１０は、綴具１１０に取り付けられる。
【００２６】
保持部材１１６の被綴じ物載置部１２２には、向こう側の第１の綴じ環１１２と手前側の第２の綴じ環１１４とを、保持部材１１６の長さ方向において一定の間隔（日本工業規格等で決められている一定の長さ）をあけて遊貫するための向こう側の貫通孔１２６と手前側の貫通孔１２８とがそれぞれ穿設されている。
向こう側の貫通孔１２６と手前側の貫通孔１２８とは、第１の綴じ環１１２を構成する第１の綴じ部材１１２ａおよび第２の綴じ部材１１２ｂと、第２の綴じ環１１４を構成する第３の綴じ部材１１４ａおよび第４の綴じ部材１１４ｂとに対応して、保持部材１１６の幅方向において左右に分かれて一定の間隔をおいて、Ｂ側貫通孔１２６ａ，１２８ａ（表紙ＣＯの裏表紙側）とＡ側貫通孔１２６ｂ，１２８ｂ（表紙ＣＯの表表紙側）とが穿設されている。
向こう側の貫通孔１２６は、第１の綴じ部材１１２ａを貫入し保持部材１１６の幅方向において第１の綴じ部材１１２ａを孔の中において移動することができる間隔を備えた、Ｂ側貫通孔１２６ａと、第２の綴じ部材１１２ｂを貫入し保持部材１１６の長さ方向及び幅方向において第２の綴じ部材１１２ｂを孔の中において移動することができる間隔を備えたＡ側貫通孔１２６ｂとからなる。Ｂ側貫通孔１２６ａは、平面視略Ｕ字状で開口部分から続く向こう側の孔縁１２６ａ1と手前側の孔縁１２６ａ2とを有する。
Ａ側貫通孔１２６ｂは、Ｂ側貫通孔１２６ａと略対称形であり、平面視略Ｕ字状で開口部分から続く向こう側の孔縁１２６ｂ1と手前側の孔縁１２６ｂ2とを有する。
手前側の貫通孔１２８は、第３の綴じ部材１１４ａを貫入し保持部材１１６の幅方向において第３の綴じ部材１１４ａを孔の中において移動することができる間隔を備えた、Ｂ側貫通孔１２８ａと、第４の綴じ部材１１４ｂを貫入し保持部材１１６の長さ方向及び幅方向において第４の綴じ部材１１４ｂを孔の中において移動することができる間隔を備えたＡ側貫通孔１２８ｂとからなる。Ｂ側貫通孔１２８ａは、平面視略Ｕ字状で開口部分から続く向こう側の孔縁１２８ａ1と手前側の孔縁１２８ａ2とを有する。
Ａ側貫通孔１２８ｂは、平面視略Ｕ字状で開口部分から続く向こう側の孔縁１２８ｂ1と手前側の孔縁１２８ｂ2とを有する。Ｂ側貫通孔１２８ａは、Ａ側貫通孔１２８ｂと比して長さ方向における長さが短い。
Ａ側貫通孔１２６ｂとＡ側貫通孔１２８ｂとは同じ形状である。
【００２７】
Ｂ側貫通孔１２６ａとＡ側貫通孔１２６ｂとは、保持部材１１６の長さ方向における位置が変化づけられ、Ｂ側貫通孔１２６ａの手前側縁がＡ側貫通孔１２６ｂの手前側縁より向こう側に位置している。
Ｂ側貫通孔１２８ａとＡ側貫通孔１２８ｂとは、保持部材１１６の長さ方向における位置が変化づけられ、Ｂ側貫通孔１２８ａの手前側縁がＡ側貫通孔１２８ｂの手前側縁より向こう側に位置している。Ｂ側貫通孔１２８ａの向こう側の孔縁１２８ａ1は、Ｂ側貫通孔１２８ａの向こう側の孔縁１２８ｂ1と略同じ位置に位置して、第３の綴じ部材１１４ａの向こう側に近い位置に位置している。
この実施の形態においては、第１の綴じ環１１２と第２の綴じ環１１４とが閉じられたとき、第２の綴じ部材１１２ｂの綴じ環係止部１５０の脱係が外される方向Ｏ２とは反対側の手前側の孔縁１２６ｂ2の方が、第１の綴じ部材１１２ａの綴じ環係止部１５０の脱係が外される方向Ｏ１の側の手前側の孔縁１２６ａ2より手前側に位置している。
同様に、第１の綴じ環１１２と第２の綴じ環１１４とが閉じられたとき、第４の綴じ部材１１４ｂの綴じ環係止部１５０の脱係が外される方向Ｏ２とは反対側の手前側の孔縁１２８ｂ2の方が、第３の綴じ部材１１４ａの綴じ環係止部１５０の脱係が外される方向Ｏ１の側の手前側の孔縁１２８ａ2より手前側に位置している。
【００２８】
作動部材１１８は、平面視略長方形状金属板からなる一対の第１の作動片１３０および第２の作動片１３２からなる。
第１の作動片１３０及び第２の作動片１３２は、その長手方向において、第１の保持壁１２４ａ及び第１の保持壁１２４ｂと平行でその内面に摺動する外側端縁１３０ｂ及び外側端縁３２ｂが形成され、該外側端縁１３０ｂ及び外側端縁１３２ｂと平行に当該一対の第１の作動片１３０及び第２の作動片１３２を突き合わせる突き合わせ縁１３０ａ及び突き合わせ縁１３２ａが内側縁に形成されている。第１の作動片１３０及び第２の作動片１３２は、突き合わせ縁１３０ａ及び突き合わせ縁１３２ａの長手方向における中央Ｃ（図１４及び図１６図示）を対称の中心とする点対称形で、保持部材１１６の保持空間内において各々をその長手方向において並置したとき、各々その内側縁において屈曲自在に係合する。
【００２９】
作動部材１１８は、一方の作動片、すなわち第１の作動片１３０における保持部材１１６の被綴じ物載置部１２２の内側面と対向する表面（すなわち上面）には、第１の綴じ環１１２を構成する第１の綴じ部材１１２ａの基部が固定され、且つ、前記第１の綴じ部材１１２ａとは一定の間隔をおいて、第２の綴じ環１１４を構成する第３の綴じ部材１１４ａの基部が固定されている。
また、他方の作動片、すなわち第２の作動片１３２における保持部材１１６の被綴じ物載置部１２２と対向する表面（すなわち上面）には、第１の綴じ環１１２を構成する第２の綴じ部材１１２ｂの基部が固定され、且つ、前記第２の綴じ部材１１２ｂと一定の間隔をおいて、第２の綴じ環１１４を構成する第４の綴じ部材１１４ｂの基部が固定されている。持部材１６の内面に近づき且つ前記第１の綴じ環１１２及び第２の綴じ環１１４を閉じた際には前記保持部材１１６の内面から離れるように、前記第１の綴じ環１１２及び第２の綴じ環１１４を開閉する方向に揺動可能に、前記保持部材１１６に保持される。
【００３０】
前記開閉部材１４０は、第１の綴じ環１１２及び第２の綴じ環１１４が固定された表面とは反対側の裏面側において、作動部材１１８に固定され、前記第１の綴じ環１１２及び第２の綴じ環１１４を開くときに、保持部材１１６内で、前記第２の作動片１３２を保持部材１１６の長手方向に移動させるとともに第１の綴じ環１１２及び第２の綴じ環１１４の基部並びにその突き合わせ縁１３０ａおよび突き合わせ縁１３２ａが保持部材１１６の内面に近づいた方向に保持させて、第１の綴じ環１１２及び第２の綴じ環１１４を開く方向に変化させるように形成されている。
【００３１】
前記作動部材１１８は、前記第１の綴じ環１１２及び第２の綴じ環１１４を固定された表面側とは反対側の裏面側において、第１の綴じ環１１２及び第２の綴じ環１１４を開く方向に付勢する開閉部材１４０が固定されている。
そして、前記第１の綴じ環１１２及び第２の綴じ環１１４を閉じたときには、第１の作動片１３０及び第２の作動片１３２は、保持部材１１６の内面より離れた位置において、その突き合わせ縁１３０ａ及び突き合わせ縁１３２ａが突き合わせた状態において、平面状に保持され、そして、前記第１の綴じ環１１２及び第２の綴じ環１１４を開いたときには、第１の作動片１３０及び第２の作動片１３２は、その突き合わせ縁１３０ａ及び突き合わせ縁１３２ａが突き合わせた状態において保持部材１１６の内面に近づいた方向に向いて山折り状に保持されるように、保持部材１１６に固定されている。
【００３２】
前記第１の作動片１３０は、突き合わせ縁１３０ａの両端近傍であって、第１の綴じ部材１１２ａ及び第３綴じ部材の１１４ａの基部が固定された領域より突き合わせ縁１３０ａ寄りを、突き合わせ縁１３０ａの両端近傍を突き合わせ縁１３０ａに沿って周囲の基準面ＬＰ1より開閉部材１４０を固定される面側に曲げて凹まされて第１の作動片の向こう側凹み部１３０ｄ及び第１の作動片の手前側凹み部１３０ｅを形成されている。そして、第１の作動片の手前側凹み部１３０ｅ及び第１の作動片の向こう側凹み部１３０ｄにより前記基準面ＬＰ1より係合部を有する第１の作動片の向こう側第２係合部１３６ｂ4が形成されている。
【００３３】
前記第１の作動片１３０の第１係合部１３６ａの係合面と前記第２の作動片１３２の第２係合部１３６ｂの係合面とを、前記基準面ＬＰ1及び基準面ＬＰ2と略々同じ高さ又は低い高さにおいて係合されている。
前記第２の作動片１３２の第１係合部１３６ａの係合面と前記第１の作動片１３０の第２係合部１３６ｂの係合面とを、前記基準面ＬＰ1及び基準面ＬＰ2と略々同じ高さ又は低い高さにおいて係合されている。
第１係合部１３６ａは、第１の作動片の向こう側第１係合部１３６ａ1、第１の作動片の手前側第１係合部１３６ａ2、第２の作動片の手前側第１係合部１３６ａ3及び第２の作動片の向こう側第１係合部１３６ａ4を含む。
第２係合部１３６ｂは、第２の作動片の向こう側第２係合部１３６ｂ1、第２の作動片の手前側第２係合部１３６ｂ2、第１の作動片の手前側第２係合部１３６ｂ3及び第１の作動片の向こう側第２係合部１３６ｂ4を含む。
【００３４】
前記第１の作動片１３０は、第１係合部１３６ａが形成され且つ第２の作動片１３２と同じように第２係合部１３６ｂが形成されるとともに、前記第２の作動片１３２は、第２係合部１３６ｂが形成され且つ第１の作動片１３０と同じように第１係合部１３６ａが形成され、対向する第１の作動片１３０及び第２の作動片１３２は、第１係合部１３６ａと第２係合部１３６ｂとが係合して、突き合わせ縁１３０ａ及び突き合わせ縁１３２ａを中心にして第１の作動片１３０と第２の作動片１３２とが揺動するように形成されている。
このように、前記作動部材１１８及び開閉部材１４０を保持部材１１６の保持空間内において保持され且つ移動できるように、一対の作動片すなわち、第１の作動片１３０及び第２の作動片１３２の突き合わせ縁、すなわち、突き合わせ縁１３０ａ及び突き合わせ縁１３２ａに、移動中にも突き合わせ状態を維持するための係合部すなわち、第１係合部１３６ａ及び第２係合部１３６ｂを、開閉部材１４０を固定された面側に向けて突出して形成されているので、保持部材１１６の高さを低くして低背化を図ることができる。
【００３５】
第１の作動片１３０及び第２の作動片１３２は、第１の作動片の向こう側凹み部１３０ｄ、第１の作動片の手前側凹み部１３０ｅ、第２の作動片の向こう側凹み部１３２ｄ及び第２の作動片の手前側凹み部１３２ｅに、内側の第１の作動片の手前側第１係合部１３６ａ2及び第２の作動片の向こう側第１係合部１３６ａ4の内側近傍において、第１の作動片１３０及び第２の作動片１３２の長手方向への移動を規制する移動規制部が形成される。
移動規制部は、第１の作動片１３０の突き合わせ縁１３０ａに形成された規制凹部１３０ｆ及び規制凸部１３０ｇと、第２の作動片１３２の突き合わせ縁１３２ａに形成された規制凹部１３２ｆ及び規制凸部１３２ｇとから形成される。
規制凹部１３０ｆは、突き合わせ縁１３０ａより幅方向において凹んだ平面視コ字型の欠きであり、規制凸部１３２ｇは、前記規制凹部１３０ｆと遊嵌するように形成された平面視コ字型の凸起であり、規制凹部１３０ｆに規制凸部１３２ｇが遊嵌されて、規制凹部１３０ｆ内において第１の作動片１３０及び第２の作動片１３２がその長さ方向に互い違いに移動するように形成されている。
規制凹部１３２ｆは、突き合わせ縁１３２ａより幅方向において凹んだ平面視コ字型の欠きであり、規制凸部１３０ｇは、前記規制凹部１３２ｆと遊嵌するように形成された平面視コ字型の凸起であり、規制凹部１３２ｆに規制凸部１３０ｇが遊嵌されて、規制凹部１３２ｆ内において第１の作動片１３０及び第２の作動片１３２がその長さ方向に互い違いに移動するように形成されている。
【００３６】
移動規制部は、一方の第１の作動片１３０の突き合わせ縁１３０ａに形成された規制凹部１３０ｆ及び規制凸部１３０ｇと、他方の第２の作動片１３２の突き合わせ縁１３２ａに形成された規制凹部１３２ｆ及び規制凸部１３２ｇとから形成されているが、綴じ環１１２，１１４を綴じ環係止部１５０において閉じたとき、一方の第１の作動片１３０の規制凹部１３０ｆは、係止された綴じ環係止部１５０が外れる方向に他方の綴じ部材（第２の綴じ部材１１２ｂ，第４の綴じ部材１１４ｂ）が移動することを許容するように、他方の第２の作動片１３２の規制凸部１３２ｇの移動を許容できる長さに形成されている。
この実施の形態においては、第１の作動片１３０の突き合わせ縁１３０ａに穿設された規制凹部１３０ｆの長さは、第１の作動片１３０及び第２の作動片１３２の長さ方向において、第２の作動片１３２の突き合わせ縁１３２ａに突設された規制凸部１３２ｇの長さよりも長く形成され、また、第２の作動片１３２の突き合わせ縁１３２ａに穿設された規制凹部１３２ｆの長さは、第２の作動片１３２及び第１の作動片１３０の長さ方向において、第１の作動片１３０の突き合わせ縁１３０ａに突設された規制凸部１３０ｇの長さよりも長く形成されている。
而して、第１の綴じ環１１２及び第２の綴じ環１１４に被綴じ物Ｓを綴じ込んだときに、綴具１１０の長さ方向において下方（手前側）に向けてのみ荷重がかかったときには、綴じ環係止部１５０において、第２の綴じ部材１１２ｂ及び第４の綴じ部材１１４ｂが、係止された第１の綴じ部材１１２ａ及び第３の綴じ部材１１４ａ側に向けて（下方（手前側）に向けて）転位して、第１の綴じ環１１２の綴じ環係止部１５０に強く喰い込み、被綴じ物Ｓの重みで綴じ環係止部１５０が脱係することがない。
【００３７】
第１の作動片１３０の突き合わせ縁１３０ａ側及び第２の作動片１３２の突き合わせ縁１３２ａ側であって、第１の綴じ部材１１２ａの基部と第３の綴じ部材１１４ａの基部と第２の綴じ部材１１２ｂの基部と第４の綴じ部材１１４ｂの基部の間において、第１の綴じ環１１２と第２の綴じ環１１４とを開閉方向に変化させる開閉部材１４０が設けられている。
開閉部材１４０は、一本の弾力性を有するピアノ線などの鋼線からなり、開閉部材１４０は、直線状の連接部１４２と、前記連接部１４２の一端に形成された直線状の第１架設部１４４と、前記連接部１４２の他端に形成された直線状の第２架設部１４６とを備える。
前記開閉部材１４０は、前記作動部材１１８を構成する一対の作動片すなわち第１の作動片１３０と第２の作動片１３２との間において、一対の第１の作動片１３０と第２の作動片１３２をそれぞれ逆方向に移動させるように、第１の綴じ部材１１２ａ及び第３の綴じ部材１１４ａの基部を結ぶ方向であり、且つ第２の綴じ部材１１２ｂ及び第４の綴じ部材１１４ｂの基部を結ぶ方向と略平行な方向で逆向きに付勢するために架け渡されている。それとともに、前記開閉部材１４０は、綴じ環すなわち第１の綴じ環１１２及び第２の綴じ環１１４を開き且つ開閉状態を保持させるように、第１の作動片１３０に間隔をおいて固定された綴じ環すなわち第１の綴じ部材１１２ａ及び第３の綴じ部材１１４ａの基部を結ぶ方向と交差する方向であり、且つ作動片１３２に間隔をおいて固定された綴じ環すなわち第２の綴じ部材１１２ｂ及び第４の綴じ部材１１４ｂの基部を結ぶ方向と交差する方向で連接部１４２の円周方向に捩って、前記作動部材１１８を構成する一対の作動片すなわち第１の作動片１３０と第２の作動片１３２との間において、架け渡されている。
【００３８】
前記第１架設部１４４は、第１の綴じ部材１１２ａ及び第３の綴じ部材１１４ａの基部と第２の綴じ部材１１２ｂ及び第４の綴じ部材１１４ｂの基部とが綴じ環の先端側に向けて上昇して開く方向に付勢するように、第１の作動片１３０と第２の作動片１３２との間に架け渡されている。
前記第２架設部１４６は、第１の綴じ部材１１２ａ及び第３の綴じ部材１１４ａの基部と第２の綴じ部材１１２ｂ及び第４の綴じ部材１１４ｂの基部とが綴じ環の先端側に向けて上昇して開く方向に付勢するように、第１の作動片１３０と第２の作動片１３２との間に架け渡されている。
そして、前記第１架設部１４４と第２架設部１４６とは、第１架設部１４４と第２架設部１４６の付勢力に抗して第１の綴じ環１１２と第２の綴じ環１１４との綴じ環係止部１５０の係合を外したときに、第１の作動片１３０と第２の作動片１３２とを、第１の綴じ部材１１２ａの基部と第３の綴じ部材１１４ａの基部及び第２の綴じ部材１１２ｂの基部と第４の綴じ部材１１４ｂの基部とを結ぶ方向（Ｘ1及びＸ2方向）に沿って第１の作動片１３０と第２の作動片１３２とを逆向きに移動させるように第１の作動片１３０と第２の作動片１３２とを付勢して、第１の作動片１３０と第２の作動片１３２との間に架け渡されている。
開閉部材１４０は、前記連接部１４２が、第１の綴じ環１１２と第２の綴じ環１１４とが閉じた状態において、開いた状態から閉じた状態への方向に向けて第１の作動片１３０と第２の作動片１３２とを突き合わせ縁１３０ａ及び突き合わせ縁１３２ａを中心に回動させる方向に連接部１４２を捩る荷重を加えて、連接部１４２の中心軸まわりにねじりモーメントを受け、変形をうけた線状材のもとに戻ろうとする力を発生させるようにして、第１の作動片１３０と第２の作動片１３２との間に架け渡され、且つ、第１架設部１４４が第１の作動片１３０に、第２架設部１４６が第２の作動片１３２に固定される。
この実施の形態において、開閉部材１４０は、連接部１４２と第１架設部１４４とを接続する接続部（第１接続部１４８ａ）において、及び連接部１４２と第２架設部１４６とを接続する接続部（第２接続部１４８ｂ）において、一本の直線状ピアノ線などの弾力性を有する鋼線の第１架設部１４４の領域と第２架設部１４６の領域とを略々同じ向きに向けて折り曲げ、且つ、連接部１４２を図７図示角度β1及びβ2分捩って、一対の作動片（第１の作動片１３０及び第２の作動片１３２）に固定されるように、構成されている。
【００３９】
開閉部材１４０は、力をかけない元の状態においては、図１２において示すように、半直線状連接部１４２と半直線状第１架設部１４４とがなす角度α2が、綴じ環係止部１５０の係合を外す方向Ｏ1方向に平面視略々１１５〜１２０度の角度をなすように折り曲げられ、且つ半直線状連接部１４２と半直線状第２架設部１４６となす角度α1が、綴じ環係止部１５０の係合を外す方向Ｏ2方向に平面視略々１１５〜１２０度の角度をなすように折り曲げられるとともに、半直線状第１架設部１４４と半直線状連接部１４２とがなす角度β3及び半直線状第２架設部１４６と半直線状連接部１４２とがなす角度β4が、背面方向に向けて側面視略々１１０度の角度をなすように折り曲げられている。
【００４０】
前記第１架設部１４４は、第１の作動片１３０及び第２の作動片１３２が平面状に突き合わされた状態（すなわち第１の綴じ環１１２と第２の綴じ環１１４とが閉じた状態）において、前記第２架設部１４６が第２の作動片１３２を前記山折り状態にする方向すなわち第２の綴じ部材１１２ｂ及び第４の綴じ部材１１４ｂを閉じる方向である第１の綴じ環１１２の突き出る方向に向けて連接部１４２を捩った状態で第２の作動片１３２の第１開閉部材固定部１３８ａに固定された状態において、第１の作動片１３０の第３開閉部材固定部１３８ｃと第２の作動片１３２の第１開閉部材固定部１３８ａとの間に架け渡されている。
前記第１架設部１４４は、第１の綴じ環１１２と第２の綴じ環１１４との綴じ環係止部１５０の係合を手で捻って外した後、手で綴じ環係止部１５０を捻る力を弱めるか取り除いたときに、第１の作動片１３０と第２の作動片１３２とを第１の綴じ部材１１２ａの基部と第３の綴じ部材１１４ａの基部及び第２の綴じ部材１１２ｂの基部と第４の綴じ部材１１４ｂの基部とを結ぶ方向（Ｘ1及びＸ2方向）に沿って、綴じ環係止部１５０を捻ったときに綴じ環係止部１５０の係合を外す方向（Ｏ1）に移動した後、第１の作動片１３０を反対方向に移動させて第２の作動片１３２とを互いに逆向きに移動させ、第１の綴じ環１１２と第２の綴じ環１１４を閉じる位置すなわち第１の綴じ環１１２と第２の綴じ環１１４とが直線上に並ぶ位置まで移動させるように、第１の作動片１３０と第２の作動片１３２とを同列に並んだ並置された状態において、第１の綴じ環１１２と第２の綴じ環１１４との綴じ環係止部１５０の係合を外す方向（Ｏ1方向）に撓めて、第１の作動片１３０と第２の作動片１３２との間に架け渡されている。
この状態において、連接部１４２と第１架設部１４４とがなす角度θ2は、前記角度α2よりやや狭い１００度以下に構成されている。而して、第１架設部１４４は、第１の綴じ環１１２と第２の綴じ環１１４との係合を外す方向Ｏ1とは反対側に向けて第１の作動片１３０を付勢するとともに、第１の作動片１３０を第２の作動片１３２に向けて押すように付勢する。
前記第２架設部１４６は、第１の作動片１３０及び第２の作動片１３２が平面状に突き合わされた状態（すなわち第１の綴じ環１１２と第２の綴じ環１１４とが閉じた状態）において、前記第１架設部１４４が第１の作動片１３０を前記山折り状態にする方向すなわち第１の綴じ部材１１２ａ及び第３の綴じ部材１１４ａを閉じる方向である第２の綴じ環１１４の突き出る方向に向けて連接部１４２を捩った状態で第１の作動片１３０の第２開閉部材固定部１３８ｂに固定された状態において、第２の作動片１３２の第４開閉部材固定部１３８ｄと第１の作動片１３０の第２開閉部材固定部１３８ｂとの間に架け渡されている。
前記第２架設部１４６は、第１の綴じ環１１２と第２の綴じ環１１４との綴じ環係止部１５０の係合をオープナー１０で捻って外した後、オープナー１０で綴じ環係止部１５０を捻る力を弱めるか取り除いたときに、第１の作動片１３０と第２の作動片１３２とを第１の綴じ部材１１２ａの基部と第３の綴じ部材１１４ａの基部及び第２の綴じ部材１１２ｂの基部と第４の綴じ部材１１４ｂの基部とを結ぶ方向（Ｘ1及びＸ2方向）に沿って、綴じ環係止部１５０を捻ったときに綴じ環係止部１５０の係合を外す方向（Ｏ2）に移動した後、第１の作動片１３０を反対方向に移動させて第２の作動片１３２とを互いに逆向きに移動させるように、第１の作動片１３０と第２の作動片１３２とを同列に並んだ並置された状態において、第１の綴じ環１１２と第２の綴じ環１１４との綴じ環係止部１５０の係合を外す方向（Ｏ2方向）に撓めて、第１の作動片１３０と第２の作動片１３２との間に架け渡されている。
この状態において、連接部１４２と第２架設部１４６とがなす角度θ1は、前記角度α1よりやや狭い１００度以下に構成されている。而して、第２架設部１４６は、第１の綴じ環１１２と第２の綴じ環１１４との係合を外す方向Ｏ2とは反対側に向けて第２の作動片１３２を付勢するとともに、第２の作動片１３２を第１の作動片１３０に向けて押すように付勢する。
【００４１】
連接部１４２は、第１の綴じ部材１１２ａ及び第４の綴じ部材１１４ｂの突き出る方向である上向きにその円周方向に捩って、第１の作動片１３０と第２の作動片１３２に固着された第１の綴じ部材１１２ａの基部と第３の綴じ部材１１４ａの基部とを結ぶ線（Ｘ1（図１４図示））及び第２の綴じ部材１１２ｂの基部と第４の綴じ部材１１４ｂの基部とを結ぶ線（Ｘ2（図１４図示））並びに突き合わせ縁１３０ａ及び突き合わせ縁１３２ａと交差する方向に（この実施の形態においては、突き合わせ縁１３０ａ及び突き合わせ縁１３２ａの中央Ｃを通る斜行線上に）固定されている。
この実施の形態においては、連接部１４２は、図１４Ｂ及び１４Ｃにおいて示すように、力をかけない元の状態から側面視において６０度程捩って、第１の作動片１３０及び第２の作動片１３２に固定される。
この実施の形態においては、連接部１４２は、突き合わせ縁１３０ａ及び突き合わせ縁１３２ａを通る線Ｘ3と１０数度の角度をなす斜行線γ（図１４Ｅ図示）上において、突き合わせ縁１３０ａ及び突き合わせ縁１３２ａの中央Ｃより均等な長さを有して、第１の作動片１３０の第２開閉部材固定部１３８ｂと第２の作動片１３２の第１開閉部材固定部１３８ａとに固定されている。
連接部１４２及び第１架設部１４４は、連接部１４２と第１架設部１４４との接続部である第１接続部１４８ａの近傍において、第２の作動片１３２の裏面側の突き合わせ縁１３０ａ及び突き合わせ縁１３２ａの長手方向における中央Ｃより第２の綴じ部材１１２ｂ側に固定されている。
連接部１４２及び第２架設部１４６は、連接部１４２と第２架設部１４６との接続部である第２接続部１４８ｂの近傍において、第１の作動片１３０の裏面側の突き合わせ縁１３０ａ及び突き合わせ縁１３２ａの長手方向における中央Ｃより第３の綴じ部材１１４ａ側に固定されている。
そして、第１架設部１４４は、連接部１４２と第１架設部１４４との接続部である第１接続部１４８ａの近傍において、第１の作動片１３０の裏面側の突き合わせ縁１３０ａ及び突き合わせ縁１３２ａの長手方向における中央Ｃより、第２の綴じ部材１１２ｂ側に固定され、且つ、連接部１４２と第１架設部１４４との接続部である第１接続部１４８ａとは離れた位置すなわち第１架設部１４４の先端において、第１の作動片１３０の裏面側の突き合わせ縁１３０ａ及び突き合わせ縁１３２ａの長手方向における中央Ｃより第１の綴じ部材１１２ａ側であって、第１開閉部材固定部１３８ａより第１の綴じ部材１１２ａ側に固定されている。
この実施の形態においては、第１架設部１４４は、Ｏ1方向とは反対側に２０度程傾けている。
そして、第２架設部１４６は、連接部１４２と第２架設部１４６との接続部である第２接続部１４８ｂの近傍において、第１の作動片１３０の裏面側の突き合わせ縁１３０ａ及び突き合わせ縁１３２ａの長手方向における中央Ｃより、第３の綴じ部材１１４ａ側に固定され、且つ、連接部１４２と第２架設部１４６との接続部である第２接続部１４８ｂとは離れた位置すなわち第２架設部１４６の先端において、第２の作動片１３２の裏面側の突き合わせ縁１３０ａ及び突き合わせ縁１３２ａの長手方向における中央Ｃより第４の綴じ部材１１４ｂ側であって、第２開閉部材固定部１３８ｂより第４の綴じ部材１１４ｂ側に固定されている。
この実施の形態においては、第２架設部１４６は、Ｏ2方向とは反対側に２０度程傾けている。
【００４２】
そして、１対の前記第１の作動片１３０及び第２の作動片１３２は、前記保持部材１１６の長手方向において互いに逆方向に移動させることにより、前記綴じ部材の組み合わせによる前記第１の綴じ環１１２及び第２の綴じ環１１４が分離され、前記第１の綴じ環１１２及び第２の綴じ環１１４が分離されたときに、前記開閉部材１４０は、前記第１の作動片１３０と第２の作動片１３２とを付勢して、前記第１の綴じ部材１１２ａと第２の綴じ部材１１２ｂ及び第３の綴じ部材１１４ａと第４の綴じ部材１１４ｂとを開放させる。
【００４３】
前記綴じ環は、図２４〜図２６に示すように、主綴じ環たる第１の綴じ環１１２と、該第１の綴じ環１１２の閉じる方向に向けての作動に追動する副綴じ環たる第２の綴じ環１１４とにより構成されている。
そして、第１の綴じ環１１２と第２の綴じ環１１４とは、同一方向（図１８のＯ1及びＯ2方向）に向けて、その綴じ環係止部１５０をオープナー１０で外すことができるように構成されている。
第１の綴じ環１１２を構成する第１の綴じ部材１１２ａの先端に形成された綴じ環係止部１５０を構成する先端の凸部１５２ａ及びその凸部１５２ａに続く凹部１５２ｂと、第２の綴じ部材１１２ｂの綴じ環係止部１５０を構成する先端の凸部１５４ａ及びその先端の凸部１５４ａに続く凹部１５４ｂとは、第１の綴じ環１１２を閉じたとき係合するように逆方向に向けて突き出しあるいは凹み形成されている。
凸部１５２ａ及び凸部１５４ａは、それぞれ先端から内側に向けて湾曲凸面を有する傾斜対向面１５２ｃ及び湾曲凸面を有する傾斜対向面１５４ｃと、傾斜対向面１５２ｃ及び傾斜対向面１５４ｃに続き、凸部１５２ａ及び凸部１５４ａの後端（基部側）から除々に先端側（すなわち閉じる方向）に入り込んだ傾斜対向面１５２ｄ及び傾斜対向面１５４ｄが形成され、後端近傍が鉤状で、全体として鉤鼻状に形成されている。
凹部１５２ｂは、基部側から先端に向けて湾曲凹面を有する傾斜対向面を備え、凹部１５４ｂは、同様に基部側から先端に向けて湾曲凹面を有する傾斜対向面を備えている。
また、第２の綴じ環１１４を構成する第３の綴じ部材１１４ａの先端に形成された綴じ環係止部１５０を構成する凸部１５６ａ及びその凸部１５６ａに続く凹部１５６ｂと、第４の綴じ部材１１４ｂの綴じ環係止部１５０を構成する先端の凸部１５８ａ及びその先端の凸部１５８ａに続く凹部１５８ｂとは、第２の綴じ環１１４を閉じたとき係合するように逆方向に向けて突き出しあるいは凹み形成されている。
凸部１５６ａ及び凸部１５８ａは、それぞれ先端から内側に向けて湾曲凸面を有する傾斜対向面１５６ｃ及び湾曲凸面を有する傾斜対向面１５８ｃと、傾斜対向面１５６ｃ及び傾斜対向面１５８ｃに続き、凸部１５６ａ及び凸部１５８ａの後端（基部側）から除々に先端側（すなわち閉じる方向）に入り込んだ傾斜対向面１５６ｄ及び傾斜対向面１５８ｄが形成され、後端近傍が鉤状で、全体として鉤鼻状に形成されている。
凹部１５６ｂは、基部側から先端に向けて湾曲凹面を有する傾斜対向面を備え、凹部１５８ｂは、同様に湾曲凹面を有する傾斜対向面を備えている。
【００４４】
凸部１５２ａの最高部と凹部１５２ｂの最深部との間の距離Ｌ１及び凸部１５４ａの最高部と凹部１５４ｂの最深部との間の距離Ｌ１は、綴じ環係止部１５０を脱係するときに関係する長さである。
そして、この実施の形態においては、凸部１５２ａの最高部と凹部１５２ｂの最深部との間の距離Ｌ１及び凸部１５４ａの最高部と凹部１５４ｂの最深部との間の距離Ｌ１は、第１の綴じ部材１１２ａの手前側縁と手前側の孔縁１２６ａ2との間の距離Ｌ２と第２の綴じ部材１１２ｂの向こう側と向こう側の孔縁１２６ｂ1との間の距離Ｌ３との和より短くなるように構成され、第１の綴じ環１１２をねじって綴じ環係止部１５０を脱係させることができるように構成されている。
同様に、凸部１５２ａの最高部と凹部１５２ｂの最深部との間の距離Ｌ１及び凸部１５４ａの最高部と凹部１５４ｂの最深部との間の距離Ｌ１は、第３の綴じ部材１１４ａの手前側縁と手前側の孔縁１２８ａ2との間の距離Ｌ２と第４の綴じ部材１１４ｂの向こう側と向こう側の孔縁１２８ｂ1との間の距離Ｌ３との和より短くなるように構成され、第２の綴じ環１１４をねじって綴じ環係止部１５０を脱係させることができるように構成されている。
しかしながら、Ｂ側貫通孔１２６ａ及びＢ側貫通孔１２８ａは、係止された状態にある第１の綴じ部材１１２ａの綴じ環係止部１５０が綴じられた被綴じ物Ｓの重みで綴じ環係止部１５０の外れる方向Ｏ１に移動することを規制することができるように、第１の綴じ環１１２と第２の綴じ環１１４とが閉じられたとき、前記距離Ｌ１より前記距離Ｌ２の方が短くなるように構成されている。
【００４５】
綴じ環１１２，１１４が閉じられているときに、オープナー１０によって、綴じ環１１２，１１４が開かれるときには、一方の綴じ部材（第１の綴じ部材１１２ａ，第３の綴じ部材１１４ａ）が綴じ環係止部１５０の係合を外す側とは反対側である向こう側に移動することを貫通孔１２８の向こう側の孔縁１２８ａ1によって（向こう側への）移動を規制するとともに他方の綴じ部材（第２の綴じ部材１１２ｂ，第４の綴じ部材１１４ｂ）が綴じ環係止部１５０の係合を外す側である向こう側に移動するために、一方の綴じ部材（第１の綴じ部材１１２ａ，第３の綴じ部材１１４ａ）を貫挿された一方の貫通孔（Ｂ側貫通孔１２８ａ）は、一方の綴じ部材（第１の綴じ部材１１２ａ，第３の綴じ部材１１４ａ）の向こう側への移動を規制するように形成され、他方の綴じ部材（第２の綴じ部材１１２ｂ，第４の綴じ部材１１４ｂ）を貫挿された他方の貫通孔（Ａ側貫通孔１２６ｂ，Ａ側貫通孔１２８ｂ）は、他方の綴じ部材（第２の綴じ部材１１２ｂ，第４の綴じ部材１１４ｂ）向こう側へのの移動を許容するように形成されている。
移動規制部は、一方の綴じ部材（第１の綴じ部材１１２ａ，第３の綴じ部材１１４ａ）の移動を許容するように形成され、他方の綴じ部材（第２の綴じ部材１１２ｂ，第４の綴じ部材１１４ｂ）の移動を許容するように形成されている。
そして、綴じ環１１２，１１４に被綴じ物Ｓによる一方の綴じ部材（第１の綴じ部材１１２ａ，第３の綴じ部材１１４ａ）の綴じ環係止部１５０の係合を外す方向にのみ過負荷がかかったときには、一方の綴じ部材（第１の綴じ部材１１２ａ，第３の綴じ部材１１４ａ）を貫挿された一方の貫通孔（Ｂ側貫通孔１２６ａ，Ｂ側貫通孔１２８ａ）は、一方の綴じ部材（第１の綴じ部材１１２ａ，第３の綴じ部材１１４ａ）の綴じ環係止部１５０の係合を外す側に移動した一方の綴じ部材（第１の綴じ部材１１２ａ，第３の綴じ部材１１４ａ）の移動を停止するように形成され、且つ他方の綴じ部材（第２の綴じ部材１１２ｂ，第４の綴じ部材１１４ｂ）を貫挿された他方の貫通孔（Ａ側貫通孔１２６ｂ，Ａ側貫通孔１２８ｂ）は、他方の綴じ部材（第２の綴じ部材１１２ｂ，第４の綴じ部材１１４ｂ）が、前記停止した一方の綴じ部材（第１の綴じ部材１１２ａ，第３の綴じ部材１１４ａ）に向けて更に移動することを許容するように形成されるとともに、且つ移動規制部は、一方の綴じ部材（第１の綴じ部材１１２ａ，第３の綴じ部材１１４ａ）の綴じ環係止部１５０の係合を外す側に移動した一方の綴じ部材（第１の綴じ部材１１２ａ，第３の綴じ部材１１４ａ）に向けて、他方の綴じ部材（第２の綴じ部材１１２ｂ，第４の綴じ部材１１４ｂ）が更に移動することを許容するように形成されている。
【００４６】
綴じ環係止部１５０は、一方の綴じ部材（第１の綴じ部材１１２ａ，第３の綴じ部材１１４ａ）の係止凸部（凸部１５２ａ，凸部１５６ａ）が向こう側に向けて突き出ており且つ他方の綴じ部材（第２の綴じ部材１１２ｂ，第４の綴じ部材１１４ｂ）の係止凸部（凸部１５４ａ，凸部１５８ａ）が手前側に向けて突き出ており、綴じ環係止部１５０を脱係して閉じている綴じ環をオープナー１０で開かれるときには、他方の綴じ部材（第２の綴じ部材１１２ｂ，第４の綴じ部材１１４ｂ）の係止凸部（凸部１５４ａ，凸部１５８ａ）が突き出ている方向とは反対側に向けて他方の綴じ部材（第２の綴じ部材１１２ｂ，第４の綴じ部材１１４ｂ）を移動させて、一方の綴じ部材（第１の綴じ部材１１２ａ，第３の綴じ部材１１４ａ）の係止凸部（凸部１５２ａ，凸部１５６ａ）を他方の綴じ部材（第２の綴じ部材１１２ｂ，第４の綴じ部材１１４ｂ）の係止凹部（凹部１５４ｂ，凹部１５８ｂ）から脱係させ且つ他方の綴じ部材（第２の綴じ部材１１２ｂ，第４の綴じ部材１１４ｂ）の係止凸部（凸部１５４ａ，凸部１５８ａ）を一方の綴じ部材（第１の綴じ部材１１２ａ，第３の綴じ部材１１４ａ）の係止凹部（凹部１５２ｂ，凹部１５６ｂ）から脱係させることができる。
【００４７】
第２の綴じ環１１４の第４の綴じ部材１１４ｂをオープナー１０で向こう側に移動させることにより第１の綴じ環１１２及び第２の綴じ環１１４の綴じ環係止部１５０を外したとき、第１の作動片１３０と第２の作動片１３２には、ねじられていた開閉部材１４０が元の状態に戻ろうとする力、すなわち一方の第１架設部１４４と他方の第２架設部１４６とが、図６（Ｂ）（Ｃ）矢印方向に示すように、連接部１４２の円周方向に回転して元の状態に戻ろうとするように力が働くことにより、第２の綴じ環１１４は開く。
また、第１の綴じ環１１２及び第２の綴じ環１１４は、その綴じ環係止部１５０が外され（図１８参照）、第１の作動片１３０及び第２の作動片１３２は、綴じ環係止部１５０の外れる方向（第１の作動片１３０はＯ1方向、第２の作動片１３２はＯ2方向）に移動する（図２１（Ａ）参照）。それによって、移動規制部を構成する第１の作動片１３０の規制凸部１３０ｇが第２の作動片１３２の規制凹部１３２ｆ内を移動して、規制凹部１３２ｆにおける綴じ環係止部１５０の外れる方向とは反対側の端縁に突き当たり、且つ移動規制部を構成する第２の作動片１３２の規制凸部１３２ｇが第１の作動片１３０の規制凹部１３０ｆ内を移動して、規制凹部１３０ｆにおける綴じ環係止部２方向とは反対側の端縁に突き当たる（図２１（Ｂ）参照）。
オープナー１０が停止して第４の綴じ部材１１４ｂを押す力を取り除くか弱めると、第１の綴じ環１１２及び第２の綴じ環１１４は、開閉部材１４０の第１架設部１４４と第２架設部１４６とが、図１３（Ｂ）（Ｃ）矢印方向に示すように、連接部１４２の円周方向に回転して元の状態に戻ろうとする力を第１の作動片１３０及び第２の作動片１３２に働かせることにより、第１の作動片１３０及び第２の作動片１３２が平面状態から山折り状態に変わって、更に開き（第１の綴じ部材１１２ａ及び第３の綴じ部材１１４ａはＯ3方向、第２の綴じ部材１１２ｂ及び第４の綴じ部材１１４ｂはＯ4方向）、且つ、開閉部材１４０の第１架設部１４４及び第２架設部１４６が元の状態に戻ろうとすることにより、第１の作動片１３０と第２の作動片１３２とは、逆方向に移動する（図２１（Ａ）（Ｂ）参照）。
すなわち、作動部材１１８及び開閉部材１４０は、第２の綴じ環１１４を構成する第３の綴じ部材１１４ａの凸部１５６ａと第４の綴じ部材１１４ｂの凸部１５８ａとを開く方向に作用し、そして、第１の綴じ環１１２の第１の綴じ部材１１２ａの凸部１５２ａと第２の綴じ部材１１２ｂの凸部１５４ａとを引き離す方向に作用するとともに、第２の綴じ環１１４を構成する第３の綴じ部材１１４ａの凸部１５６ａと第４の綴じ部材１１４ｂの凸部１５８ａとを引き離すように作用する。
【００４８】
このように、この実施の形態においては、第１の綴じ環１１２の第２の綴じ部材１１２ｂ又は第２の綴じ環１１４の第４の綴じ部材１１４ｂをオープナー１０で移動させることにより、第１の綴じ環１１２の第１の綴じ部材１１２ａおよび第２の綴じ部材１１２ｂの綴じ環係止部１５０と、第２の綴じ環１１４の第３の綴じ部材１１４ａおよび第４の綴じ部材１１４ｂの綴じ環係止部１５０を外すことができる。
【００４９】
また、第１の綴じ環１１２の第１の綴じ部材１１２ａと第２の綴じ部材１１２ｂの綴じ環係止部１５０および第２の綴じ環１１４の第３の綴じ部材１１４ａと第４の綴じ部材１１４ｂの綴じ環係止部１５０の係合を解除しオープナー１０が停止して第４の綴じ部材１１４ｂを押す力を取り除くか弱めたとき、開閉部材１４０の第１架設部１４４と第２架設部１４６とが連接部１４２の円周方向において同一方向へ動こうとする力（すなわち、開閉部材１４０に力をかけていない元の状態に戻ろうとする力）が働くことにより、作動部材１１８は、第１の作動片１３０の突き合わせ縁１３０ａと第２の作動片１３２の突き合わせ縁１３２ａとを枢軸として、連接部１４２の元に戻ろうとする力により揺動し、且つ第１架設部１４４と第２架設部１４６の元に戻ろうとする力により第１の作動片１３０と第２の作動片１３２とが逆方向に移動して、突き合わせ縁１３０ａと突き合わせ縁１３２ａとが綴じ環の突き出る方向に上昇して、山折り状態になる。
【００５０】
オープナー１０は、このような綴具１１０に装着される。
このとき、綴じ具１１０は、図９に示すように開いた（オープンした）状態において、第１の綴じ環１１２が別の貫通孔１８に挿通され、第２の綴じ環１１４を構成する第３の綴じ部材１１４ａおよび第４の綴じ部材１１４ｂが、それぞれ貫通孔１４，１６に挿通される。この場合、たとえば、図６に示すように、第１の綴じ環１１２および第２の綴じ環１１４が閉じた状態で、第１の綴じ環１１２を別の貫通孔１８に通し、その後、第１の綴じ環１１２および第２の綴じ環１１４を開いて、第３の綴じ部材１１４ａおよび第４の綴じ部材１１４ｂ部分に切り欠き部１４ｂ，１６ｂを配置することにより、オープナー１０を綴具１１０に装着することもできる。
この状態のとき、オープナー１０の基体１２の長手方向の一端側は、図１に示すように、表紙ＣＯの手前側である下端部近傍に配置される。
【００５１】
第１の綴じ環１１２および第２の綴じ環１１４が閉じた状態のとき、図３及び６に示すように、第１の綴じ環１１２は別の貫通孔１８の第２の幅広部１８ｃ部分に配置され、第２の綴じ環１１４は貫通孔１４，１６の切り欠き部１４ｂ，１６ｂを形成した部分に配置される。
【００５２】
次に、図７に示すように、基体１２の長手方向の手前側である一端側を押して、基体１２を保持部材１１６の長手方向（線Ｘ1、Ｘ2方向）に沿ってスライドさせることにより、第１の綴じ環１１２は、別の貫通孔１８の幅狭部１８ａを通り越して、第１の幅広部１８ｂ部分に配置される。また、第２の綴じ環１１４の第４の綴じ部材１１４ｂに貫通孔１６の一端側１６ａが当接され、第４の綴じ部材１１４ｂは、綴じ環係止部１５０を解除する向きに押される。このとき、第３の綴じ部材１１４ａには貫通孔１４の一端側１４ａは当接されず、第３の綴じ部材１１４ａには力が働かない。このときに、第３の綴じ部材１１４ａは、貫通孔１２８の向こう側の孔縁１２８ａ1によって、向こう側の移動を規制される。
【００５３】
さらに、図８に示すように、基体１２の長手方向の一端側を押して基体１２をスライドさせることにより、第４の綴じ部材１１４ｂが貫通孔１６の一端側１６ａで押されて、綴じ環係止部１５０が完全に解除され、第１の綴じ部材１１２ａおよび第２の綴じ部材１１２ｂが開き、第３の綴じ部材１１４ａおよび第４の綴じ部材１１４ｂも開く。このように、オープナー１０を綴具１１０の保持部材１１６の長手方向に沿ってスライドさせることにより、第１の綴じ環１１２および第２の綴じ環１１４を開くことができる。第１の綴じ環１１２、第２の綴じ環１１４が開いた後に第３の綴じ部材１１４ａに貫通孔１４の一端側が当接されてもよい。
【００５４】
また、第１の綴じ環１１２および第２の綴じ環１１４が開いた状態で、基体１２の向こう側である一端側を手前側に押すことにより、図９及び１０に示すように、貫通孔１６の手前側である一端側１６ａが第４の綴じ部材１１４ｂから離れ、第１の綴じ部材１１２ａと第２の綴じ部材１１２ｂとは、綴じ環係止部１５０でロック可能な位置に戻る。同様に、第３の綴じ部材１１４ａと第４の綴じ部材１１４ｂも、綴じ環係止部１５０でロック可能な位置に戻る。
【００５５】
さらに、基体１２を手前側に押すことにより、別の貫通孔１８の第１の幅広部１８ａに配置されていた第１の綴じ部材１１２ａおよび第２の綴じ部材１１２ｂに、幅狭部１８ａが近づいていく。そして、図１１に示すように、幅狭部１８ａによって第１の綴じ部材１１２ａおよび第２の綴じ部材１１２ｂが内側に向かって挟まれて変位させられ、第１の綴じ部材１１２ａおよび第２の綴じ部材１１２ｂは、綴じ環係止部１５０でロックされる。同様に、第１の綴じ部材１１２ａおよび第２の綴じ部材１１２ｂと連動する第３の綴じ部材１１４ａおよび第４の綴じ部材１１４ｂも、綴じ環係止部１５０でロックされる。
【００５６】
このように、このオープナー１０を用いることにより、表紙ＣＯの下端部近傍まで延びた基体１２に力を加えて向こう側にスライドさせることにより、容易に第１の綴じ環１１２および第２の綴じ環１１４を開き、また、表紙ＣＯの上端部から出た基体１２の向こう側端に力を加えて手前側にスライドさせることにより、閉じることができる。
したがって、第１の綴じ環１１２および第２の綴じ環１１４に、多数の被綴じ物Ｓを綴じ込むことができる。
【符号の説明】
【００５７】
１  綴具
２  被綴じ物
３  綴じ部材
１０  オープナー
１２  基体
１４，１６  貫通孔
１４ａ，１６ａ  貫通孔の一端側
１４ｂ，１６ｂ  切り欠き部
１８  別の貫通孔
１８ａ  幅狭部
１８ｂ  第１の幅広部
１８ｃ  第２の幅広部
１８ａ1  第１突出部
１８ａ2  第２突出部
１８ｂ1  第１ロック孔縁
１８ｂ2  第２オープン孔縁
１８Ｃ1  第１オープン孔縁
１８Ｃ2  第２オープン孔縁
２０  突出部
２２  ヒンジ部
１１０  綴じ具
１１２  第１の綴じ環
１１２ａ  第１の綴じ部材
１１２ｂ  第２の綴じ部材
１１４  第２の綴じ環
１１４ａ  第３の綴じ部材
１１４ｂ  第４の綴じ部材
１１６  保持部材
１１８  作動部材
１２０  取付孔
１２２  被綴じ物載置部
１２４  保持壁
１２４ａ  第１の保持壁
１２４ｂ  第２の保持壁
１２６，１２８  貫通孔
１２６ａ，１２８ａ  Ｂ側貫通孔
１２６ｂ，１２８ｂ  Ａ側貫通孔
１２６ａ1，１２６ｂ1，１２８ａ1，１２８ｂ1  向こう側の孔縁
１２６ａ2，１２６ｂ2，１２８ａ2，１２８ｂ2  手前側の孔縁
１３０  第１の作動片
１３０ａ  突き合わせ縁
１３０ｂ  外側端縁
１３０ｄ  第１の作動片の向こう側凹み部
１３０ｅ  第１の作動片の手前側凹み部
１３０ｆ  規制凹部
１３０ｇ  規制凸部
１３２  第２の作動片
１３２ａ  突き合わせ縁
１３２ｂ  外側端縁
１３２ｄ  第２の作動片の向こう側凹み部
１３２ｅ  第２の作動片の手前側凹み部
１３２ｆ  規制凹部
１３２ｇ  規制凸部
１３６ａ  第１係合部
１３６ａ1  第１の作動片の向こう側第１係合部
１３６ａ2  第１の作動片の手前側第１係合部
１３６ａ3  第２の作動片の手前側第１係合部
１３６ａ4  第２の作動片の向こう側第１係合部
１３６ｂ  第２係合部
１３６ｂ1  第２の作動片の向こう側第２係合部
１３６ｂ2  第２の作動片の手前側第２係合部
１３６ｂ3  第１の作動片の手前側第２係合部
１３６ｂ4  第１の作動片の向こう側第２係合部
１３８ａ  第１開閉部材固定部
１３８ｂ  第２開閉部材固定部
１３８ｃ  第３開閉部材固定部
１３８ｄ  第４開閉部材固定部
１４０  開閉部材
１４２  連接部
１４４  第１架設部
１４６  第２架設部
１４８ａ  第１接続部
１４８ｂ  第２接続部
１５０  綴じ環係止部
１５２ａ，１５４ａ，１５６ａ，１５８ａ  凸部
１５２ｂ，１５４ｂ，１５６ｂ，１５８ｂ  凹部
１５２ｃ，１５２ｄ，１５４ｃ，１５４ｄ，１５６ｃ，１５６ｄ，１５８ｃ，１５８ｄ  傾斜対向面
ＬＰ1，ＬＰ2  基準面
Ｌ１，Ｌ２，Ｌ３  距離
Ｓ  被綴じ物
【図１】
2011073407.tif 000003
【図２】
2011073407.tif 000004
【図３】
2011073407.tif 000005
【図４】
2011073407.tif 000006
【図５】
2011073407.tif 000007
【図６】
2011073407.tif 000008
【図７】
2011073407.tif 000009
【図８】
2011073407.tif 000010
【図９】
2011073407.tif 000011
【図１０】
2011073407.tif 000012
【図１１】
2011073407.tif 000013
【図１２】
2011073407.tif 000014
【図１３】
2011073407.tif 000015
【図１４Ａ】
2011073407.tif 000016
【図１４Ｂ】
2011073407.tif 000017
【図１４Ｃ】
2011073407.tif 000018
【図１４Ｄ】
2011073407.tif 000019
【図１４Ｅ】
2011073407.tif 000020
【図１４Ｆ】
2011073407.tif 000021
【図１５】
2011073407.tif 000022
【図１６】
2011073407.tif 000023
【図１７】
2011073407.tif 000024
【図１８】
2011073407.tif 000025
【図１９】
2011073407.tif 000026
【図２０】
2011073407.tif 000027
【図２１】
2011073407.tif 000028
【図２２】
2011073407.tif 000029
【図２３】
2011073407.tif 000030
【図２４】
2011073407.tif 000031
【図２５】
2011073407.tif 000032
【図２６】
2011073407.tif 000033
【図２７】
2011073407.tif 000034
【図２８】
2011073407.tif 000035